(57)【要約】  異なる周波数帯域を有する複数のアンテナが近接配置された場合においも、アンテナ利得の劣化を低減して通信品質を維持しながら、筐体内のスペースを有効活用することができる携帯無線機を提供する。  磁界アンテナ５０のアンテナパターンの１辺が最もメインアンテナ７０に接近する部分、すなわち、メインアンテナ７０と磁界アンテナ５０との干渉が最も生じやすい部位にビーズ（ｂｅａｄｓ）や並列共振回路で構成される帯域阻害素子８０（低減手段）を付加するパターン（Ａ１、Ａ２、Ａ３）を備える。また、帯域阻害素子８０は、フェライトコア等により構成されていても良い。
2008120756.tif 000002
【特許請求の範囲】
【請求項１】
筐体と、
前記筐体内に配設されると共に、第１の使用周波数帯により外部と通信を行う第１のアンテナ部と、前記第１のアンテナ部により通信される情報に対して所定の処理を行う第１の情報処理部と、を有する第１の通信部と、
前記筐体内に配設されると共に、前記第１のアンテナ部の近傍に配置され、前記第１の使用周波数帯の高次の副次共振点と重なる周波数帯である第２の使用周波数帯により通信を行う第２のアンテナ部と、前記第２のアンテナ部により通信される情報に対して所定の処理を行う第２の情報処理部と、を有する第２の通信部と、
前記第１の使用周波数帯の高次の副次共振点における周波数成分を低減する低減手段と、を有することを特徴とする携帯無線機。
【請求項２】
前記第１のアンテナ部は、磁界アンテナであって、
前記低減手段は、前記磁界アンテナに接続されると共に前記高次の副次共振点に係る周波数帯において高インピーダンスを示す帯域阻害素子であることを特徴とする請求項１記載の携帯無線機。
【請求項３】
前記第１のアンテナ部は、当該第１のアンテナ部における全部又は一部が前記第２のアンテナ部と所定方向において対向するように配置され、
前記帯域阻害素子は、前記第１のアンテナ部における前記第２のアンテナ部と対向する部分に接続されることを特徴とする請求項２記載の携帯無線機。
【請求項４】
前記第１の通信部は、電磁誘導又は電磁結合を利用して外部と通信を行う非接触ＩＣ（Ｉｎｔｅｇｒａｔｅｄ  Ｃｉｒｃｕｉｔ）チップであることを特徴とする請求項１乃至３のいずれか１項に記載の携帯無線機。
【請求項５】
筐体と、
前記筐体内に配設されると共に、第１の使用周波数帯により外部と通信を行う第１のアンテナ部と、前記第１のアンテナ部により通信される情報に対して所定の処理を行う第１の情報処理部と、を有する第１の通信部と、
前記筐体内に配設され、前記第１の使用周波数帯の共振によって生じる前記第１の使用周波数帯の高次の副次共振点と重なる周波数帯である第２の使用周波数帯により通信を行うと共に、前記第１のアンテナ部と干渉が生じ得る程度の位置に配された第２のアンテナ部と、前記第２のアンテナ部により通信される情報に対して所定の処理を行う第２の情報処理部と、を有する第２の通信部と、
前記第１の使用周波数帯の共振によって生じる前記第１の使用周波数帯の副次共振点における周波数成分を低減する低減手段と、を有することを特徴とする携帯無線機。
【請求項６】
前記第１の通信部は、前記筐体内に配設されると共に、第３の使用周波数帯により外部と通信を行う第３のアンテナ部と、前記第３のアンテナ部により通信される情報に対して所定の処理を行う第３の情報処理部と、を有し、
前記低減手段は、前記第１のアンテナ部の一部と前記第３のアンテナ部の一部とに接続され、前記第１の使用周波数帯の高次の副次共振点における周波数成分と前記第３の使用周波数帯の高次の副次共振点における周波数成分とを低減することを特徴とする請求項１又は５に記載の携帯無線機。
【発明の詳細な説明】
【技術分野】
【０００１】
本発明は、他の端末と通信を行う携帯無線機に関する。
【背景技術】
【０００２】
現在、機能性向上のために、非接触ＩＣ（Ｉｎｔｅｇｒａｔｅｄ  Ｃｉｒｃｕｉｔ）チップであるＲＦＩＤ（Ｒａｄｉｏ  Ｆｒｅｑｕｅｎｃｙ  Ｉｄｅｎｔｉｆｉｃａｔｉｏｎ）等により通信を行うための通信手段が筐体に内蔵された携帯無線機が増えつつある（例えば、特許文献１参照）。【０００３】
また、携帯無線機は、特許文献１に示すように、移動体通信網に接続される通信用のメインアンテナが筐体の外部に伸縮自在に設けられているものが一般的であるが、近年、デザイン性向上の観点から、筐体内部に通信用のメインアンテナが内蔵されたものが多くなってきている。
【特許文献１】特開２００４−２２７０４６号公報
【発明の開示】
【発明が解決しようとする課題】
【０００４】
ところで、通信用のメインアンテナと、ＲＦＩＤ等のアンテナとは、異なる使用周波数帯域を使用しているが、互いのアンテナの干渉による影響を抑制するため、両アンテナをできるだけ離して配置する構造が採られている。このため、筐体内のスペースの効率化が妨げられる結果になっている。【０００５】
本発明は、上述のような課題に鑑みてなされたものであり、その目的の一つは、異なる周波数帯域を有する複数のアンテナが近接配置された場合においても、アンテナ利得の劣化を低減して通信品質を維持しながら、筐体内のスペースを有効活用することができる携帯無線機を提供することにある。
【課題を解決するための手段】
【０００６】
本発明に係る携帯無線機は、上記課題を解決するために、筐体と、前記筐体内に配設されると共に、第１の使用周波数帯により外部と通信を行う第１のアンテナ部と、前記第１のアンテナ部により通信される情報に対して所定の処理を行う第１の情報処理部と、を有する第１の通信部と、前記筐体内に配設されると共に、前記第１のアンテナ部の近傍に配置され、前記第１の使用周波数帯の高次の副次共振点と重なる周波数帯である第２の使用周波数帯により通信を行う第２のアンテナ部と、前記第２のアンテナ部により通信される情報に対して所定の処理を行う第２の情報処理部と、を有する第２の通信部と、前記第１の使用周波数帯の高次の副次共振点における周波数成分を低減する低減手段と、を有することを特徴とする。【０００７】
また、上記携帯無線機では、前記第１のアンテナ部は、磁界アンテナであって、前記低減手段は、前記磁界アンテナに接続されると共に前記高次の副次共振点に係る周波数帯において高インピーダンスを示す帯域阻害素子であることが好ましい。【０００８】
また、上記携帯無線機では、前記第１のアンテナ部は、当該第１のアンテナ部における全部又は一部が前記第２のアンテナ部と所定方向において対向するように配置され、前記帯域阻害素子は、前記第１のアンテナ部における前記第２のアンテナ部と対向する部分に接続されることが好ましい。【０００９】
また、上記携帯無線機では、前記第１の通信部は、電磁誘導又は電磁結合を利用して外部と通信を行う非接触ＩＣ（Ｉｎｔｅｇｒａｔｅｄ  Ｃｉｒｃｕｉｔ）チップである。【００１０】
また、本発明に係る携帯無線機は、上記課題を解決するために、筐体と、前記筐体内に配設されると共に、第１の使用周波数帯により外部と通信を行う第１のアンテナ部と、前記第１のアンテナ部により通信される情報に対して所定の処理を行う第１の情報処理部と、を有する第１の通信部と、前記筐体内に配設され、前記第１の使用周波数帯の共振によって生じる前記第１の使用周波数帯の高次の副次共振点と重なる周波数帯である第２の使用周波数帯により通信を行うと共に、前記第１のアンテナ部と干渉が生じ得る程度の位置に配された第２のアンテナ部と、前記第２のアンテナ部により通信される情報に対して所定の処理を行う第２の情報処理部と、を有する第２の通信部と、前記第１の使用周波数帯の共振によって生じる前記第１の使用周波数帯の副次共振点における周波数成分を低減する低減手段と、を有することを特徴とする。【００１１】
また、上記携帯無線機では、前記第１の通信部は、前記筐体内に配設されると共に、第３の使用周波数帯により外部と通信を行う第３のアンテナ部と、前記第３のアンテナ部により通信される情報に対して所定の処理を行う第３の情報処理部と、を有し、前記低減手段は、前記第１のアンテナ部の一部と前記第３のアンテナ部の一部とに接続され、前記第１の使用周波数帯の高次の副次共振点における周波数成分と前記第３の使用周波数帯の高次の副次共振点における周波数成分とを低減することが好ましい。
【発明の効果】
【００１２】
本発明によれば、異なる周波数帯域を有する複数のアンテナが近接配置されても、アンテナ利得同士の干渉による影響を抑制されるため、通信品質を維持しながら筐体内のスペースを有効活用することができる。
【図面の簡単な説明】
【００１３】
【図１】本発明に係る携帯電話装置の外観を示す斜視図である。
【図２】本発明に係る携帯電話装置に備えられている操作部側筐体部の構成を示す斜視図である。
【図３】本発明に係る携帯電話装置の機能を示すブロック図である。
【図４】本発明に係る携帯電話装置に備えられている磁界アンテナとメインアンテナとの位置関係を示す斜視図である。
【図５】本発明に係る携帯電話装置に備えられている磁界アンテナの第１の構成を示す図である。
【図６】帯域阻害素子の特性を示す図である。
【図７】本発明に係る携帯電話装置に備えられている磁界アンテナの第２の構成を示す図である。
【図８】磁界アンテナに帯域阻害素子を付加したときのＶＳＷＲの測定結果を示す図である。
【図９】磁界アンテナに帯域阻害素子を付加しないときのＶＳＷＲの測定結果を示す図である。
【図１０】本発明に係る携帯電話装置に備えられている磁界アンテナの第３の構成を示す図である。
【図１１】本発明に係る携帯電話装置に備えられている磁界アンテナの第４の構成を示す図である。
【符号の説明】
【００１４】
１  携帯電話装置
２  操作部側筐体部
３  表示部側筐体部
４  ヒンジ機構
４０  基板
４１  ＲＦＩＤ部
４２  リアケース部
５０  磁界アンテナ
５１  ＲＦＩＤチップ
５２  コンデンサ
７０  メインアンテナ
８０  帯域阻害素子
【発明を実施するための形態】
【００１５】
以下、本発明の実施の形態について説明する。
【００１６】
図１は、本発明に係る携帯無線機の一例である携帯電話装置１の外観斜視図を示す。なお、図１は、いわゆる折り畳み型の携帯電話装置の形態を示しているが、本発明に係る携帯電話装置の形態としては特にこれに限られない。
【００１７】
携帯電話装置１は、操作部側筐体部２と、表示部側筐体部３と、を備えて構成される。操作部側筐体部２は、表面部１０に、操作ボタン群１１と、携帯電話装置１の使用者が通話時に発した音声が入力される音声入力部１２と、を備えて構成される。操作ボタン群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１８】
また、表示部側筐体部３は、表面部２０に、各種情報を表示するためのディスプレイ２１と、通話の相手側の音声を出力する音声出力部２２と、を備えて構成されている。
【００１９】
また、上述した操作ボタン群１１、音声入力部１２、ディスプレイ２１及び音声出力部２２は、後述する処理部６２を構成している。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開かれた状態（開放状態）にされたり、操作部側筐体部２と表示部側筐体部３とが折り畳まれた状態（折畳み状態）にされたりすることができる。
【００２１】
図２は、操作部側筐体部２の一部を分解した斜視図を示している。操作部側筐体部２は、図２に示すように、基板４０と、ＲＦＩＤ部４１と、リアケース部４２と、充電池４３と、充電池カバー４４と、から構成されている。
【００２２】
基板４０は、所定の演算処理を行うＣＰＵ等の素子が実装されており、操作ボタン群１１がユーザにより操作が行われたときに、所定の信号がＣＰＵに供給される。
【００２３】
ＲＦＩＤ部４１は、第１の使用周波数帯により外部装置と通信を行う磁界アンテナ５０（第１のアンテナ部）と、磁界アンテナ５０により通信される情報に対して所定の処理を行うＲＦＩＤチップ５１（第１の情報処理部）と、から構成されている。なお、ＲＦＩＤチップ５１は、図２に示すように、ＲＦＩＤ部４１と対向する基板４０上に配置されている。また、ＲＦＩＤ部４１の詳細については後述する。
【００２４】
リアケース部４２は、ヒンジ機構４を固定するヒンジ機構固定部４２Ａと、第１の使用周波数帯よりも高い周波数帯である第２の使用周波数帯により通信を行うメインアンテナ７０（第２のアンテナ部）を収納するメインアンテナ収納部４２Ｂと、充電池４３を格納する充電池格納部４２Ｃと、ＲＦＩＤ部４１を固定するＲＦＩＤ部固定部４２Ｄとを備えている。なお、メインアンテナ７０の詳細については後述する。
【００２５】
図３は、携帯電話装置１の機能を示す機能ブロック図である。携帯電話装置１は、図３に示すように、ＲＦＩＤ部４１により構成されている第１の通信部６０と、外部の端末と通信を行う第２の通信部６１と、第２の通信部６１により通信される情報を処理する処理部６２と、を備えている。
【００２６】
第１の通信部６０は、上述したＲＦＩＤ部４１により構成されており、第１の使用周波数帯（例えば、１３．５６ＭＨｚ）により外部装置と通信を行う磁界アンテナ５０と、ＲＦＩＤチップ５１と、調整用のコンデンサ５２と、から構成される。
【００２７】
磁界アンテナ５０は、例えば、ＰＥＴ（ｐｏｌｙｅｔｈｙｌｅｎｅ  ｔｅｒｅｐｈｔｈａｌａｔｅ）材料からなるシート上に複数回渦巻き状に巻かれたコイルを備えており、外部装置から送信される第１の使用周波数帯の信号を受信する。
【００２８】
ＲＦＩＤチップ５１は、磁界アンテナ５０で受信された信号によって誘起された電力に基づいて所定の電圧を生成する電源回路５３と、磁界アンテナ５０により通信される信号に対して変調処理又は復調処理等の信号処理を行うＲＦ回路５４と、所定の演算処理を行うＣＰＵ５５と、所定のデータが格納されているメモリ５６と、を備えている。電源回路５３は、例えば、ＤＣ−ＤＣコンバータにより構成されている。
【００２９】
ここで、第１の通信部６０の動作について説明する。
【００３０】
磁界アンテナ５０は、外部に設置されているリーダ・ライタ装置に対して、所定距離まで接近したときに、当該リーダ・ライタ装置から送信される電波（第１の使用周波数帯であるキャリア周波数（例えば、１３．５６ＭＨｚ）により変調されている）を受信する。なお、コンデンサ５２は、第１の使用周波数帯の電波が磁界アンテナ５０を介してＲＦ回路５４に供給されるように、所定の調整（チューニング）がされている。
【００３１】
また、磁界アンテナ５０により電波が受信されると、電磁誘導により起電力が発生する。
【００３２】
電源回路５３は、電磁誘導により発生した起電力から所定の電源電圧を生成し、ＲＦ回路５４と、ＣＰＵ５５と、メモリ５６とにその電源電圧を供給する。また、ＲＦ回路５４と、ＣＰＵ５５と、メモリ５６とは、電源回路５３から所定の電源電圧が供給されることにより停止状態から起動状態に移行する。
【００３３】
ＲＦ回路５４は、磁界アンテナ５０を介して供給された第１の使用周波数帯の信号に対して復調等の信号処理を行い、処理後の信号をＣＰＵ５５に供給する。
【００３４】
ＣＰＵ５５は、ＲＦ回路５４から供給された信号に基づいて、メモリ５６にデータを書き込む、又は、メモリ５６からデータを読み出す。ＣＰＵ５５は、メモリ５６からデータを読み出した場合には、当該データをＲＦ回路５４に供給する。ＲＦ回路５４は、メモリ５６から読み出されたデータに対して変調等の信号処理を行い、磁界アンテナ５０を介して外部のリーダ・ライタ装置に送信する。
【００３５】
また、第１の通信部６０は、上述では、電源部を有さない、いわゆる受動型（Ｐａｓｓｉｖｅ）の誘導電磁界方式（電磁誘導方式）であるものとして説明を行ったが、これに限られず、受動型の相互誘導方式（電磁結合方式）又は放射電磁界方式（電波方式）であっても良いし、又は、電源部を有する能動型（Ａｃｔｉｖｅ）であっても良い。また、第１の通信部６０のアクセス方式として、リード・ライト型であるものとして説明を行ったが、これに限られず、リードオンリー型や、ライトワンス型等であっても良い。
【００３６】
また、第２の通信部６１は、図３に示すように、第１の使用周波数帯よりも高い周波数帯である第２の使用周波数帯により外部装置と通信を行うメインアンテナ７０と、変調処理又は復調処理等の信号処理を行う通信処理部７１（第２の情報処理部）と、を備える。また、第２の通信部６１は、充電池４３から電源の供給を受けている。
【００３７】
メインアンテナ７０は、第２の使用周波数帯（例えば、８００ＭＨｚ）で外部装置と通信を行う。なお、本実施の形態では、第２の使用周波数帯として、８００ＭＨｚとしたが、これ以外の周波数帯であっても良い。また、メインアンテナ７０は、第２の使用周波数帯の他に、第３の使用周波数帯（例えば、２ＧＨｚ）に対応できる、いわゆるデュアルバンド対応型による構成であっても良いし、さらに、第４の使用周波数帯にも対応できる複数バンド対応型により構成されていても良い。
【００３８】
通信処理部７１は、メインアンテナ７０によって受信した信号を復調処理し、処理後の信号を処理部６２に供給し、あるいは処理部６２から供給された信号を変調処理し、メインアンテナ７０を介して外部装置に送信する。
【００３９】
また、処理部６２は、図３に示すように、操作ボタン群１１と、音声入力部１２と、ディスプレイ２１と、音声出力部２２と、所定の演算処理を行うＣＰＵ７２と、所定のデータが格納されているメモリ７３と、所定の音処理を行う音響処理部７４と、所定の画像処理を行う画像処理部７５と、被写体を撮像するカメラモジュール７６と、着信音等が出力されるスピーカ７７と、を備えている。また、処理部６２は、充電池４３から電源の供給を受けている。なお、携帯電話装置１は、図３に示すように、ＣＰＵ５５とＣＰＵ７２とが、信号線Ｓで結ばれており、信号線Ｓを介して第１の通信部６０により処理された情報が画像処理部７５に供給され、画像処理部７５により処理された情報がディスプレイ２１に表示される構成となっている。
【００４０】
また、図４は、ＲＦＩＤ部４１の磁界アンテナ５０と、メインアンテナ７０との位置関係を示す図である。なお、図４では、リアケース部４２が省略されている。
【００４１】
図４に示すように、磁界アンテナ５０と、メインアンテナ７０とは、近接（数ｍｍ）して配置されている。このように、二つのアンテナが近接配置されていると、磁界アンテナ５０とメインアンテナ７０とによる互いの干渉による問題が生じる。
【００４２】
具体的には、磁界アンテナ５０は、使用周波数帯（１３．５６ＭＨｚ）以外に低次及び高次に周期的に副次共振点を有する。特に、高次の副次共振点（以下、高次共振点と呼ぶ。）がメインアンテナ７０の使用周波数帯（８００ＭＨｚ等）に重なってしまうと、メインアンテナ７０の利得が劣化してしまう（詳細は、図９を用いて後述する。）。
【００４３】
そこで、本発明に係る携帯電話装置１は、磁界アンテナ５０の有する高次共振点によるメインアンテナ７０への干渉を防ぎ、メインアンテナ７０の利得劣化を回避するために、磁界アンテナ５０の高次共振点における周波数成分を低減させるような構成を採っている。
【００４４】
具体的には、携帯電話装置１は、図５に示すように、メインアンテナ７０の周波数特性を調整するために、磁界アンテナ５０のアンテナパターンの１辺が最もメインアンテナ７０に接近する部分、すなわち、メインアンテナ７０と磁界アンテナ５０との干渉が最も生じやすい部位にビーズ（ｂｅａｄｓ）や並列共振回路で構成される帯域阻害素子８０（低減手段）を付加するパターン（Ａ１、Ａ２、Ａ３）が設けられている。なお、パターン（Ａ１、Ａ２、Ａ３）は、帯域阻害素子８０が付加される各端子を示している。また、図５においては、帯域阻害素子８０は、磁界アンテナ５０を構成する各線ごとに付加されるものとして示しているが、これに限られず、例えば、最もメインアンテナ７０に近い線のみ（図５ではＡ３）に付加される構成であっても良い。
【００４５】
また、パターン（Ａ１、Ａ２、Ａ３）には、磁界アンテナ５０の高次共振点を低減可能な定数に調整された帯域阻害素子８０が付加されるものとする。
【００４６】
ここで、帯域阻害素子８０の機能について説明する。帯域阻害素子８０は、図６に示すように、高周波数帯域（８００ＭＨｚ付近）ではインピーダンスが高い（Ｒ成分が大きい）特性を有し、また、低周波数帯域（１３ＭＨｚ付近）ではインピーダンスが低い（Ｒ成分が小さい）特性を有している（ここでは特に、磁界アンテナ５０の高次共振点が最も高いインピーダンス値を示す特性を有する）。つまり、帯域阻害素子８０は、高周波数帯域においては、高周波信号を熱に変換して吸収する性質を有する。
【００４７】
したがって、磁界アンテナ５０のメインアンテナ７０に近接する部分に帯域阻害素子８０を設けることにより、磁界アンテナ５０の高次共振点における周波数成分が低減されるため、メインアンテナ７０の使用周波数帯域（高周波数帯域）における磁界アンテナ５０の高次共振点による影響が低減される。また、帯域阻害素子８０は、磁界アンテナ５０のアンテナパターンのうちメインアンテナ７０に最も接近した１辺に付加されていることから（図５中のＡ３）、磁界アンテナ５０の高次共振点における周波数成分を効率良く低減することができる。
【００４８】
また、帯域阻害素子８０は、図７に示すように、フェライトコアにより構成されていても良い。
【００４９】
また、ＲＦＩＤ部４１では、磁界アンテナ５０のリアクタンス（Ｌ）値と、コンデンサ５２のリアクタンス（Ｃ）値とにより共振（同調）周波数を調整し、１３．５６ＭＨｚに合わせている。ここで、Ｌ値は、磁界アンテナ５０の大きさや巻き数、又は、周囲に設けられている材料（磁性体や誘電体）の有無、若しくは周囲の金属との距離により決定される値である。また、高次共振点に関しては、磁界アンテナ５０のＬ値が支配的である。しかし、本発明によれば、帯域阻害素子８０を磁界アンテナ５０の一部に付加することにより高次共振点を低減することができるので、磁界アンテナ５０の設計において、その大きさ巻き数、周囲に設けられている材料の有無、周囲の金属との距離に係らず自由に設計を行うことができる。
【００５０】
また、帯域阻害素子８０は、浮遊容量が小さいので（数ｐＦ程度）、磁界アンテナ５０の使用周波数に影響を与えることはない。
【００５１】
このようにして、携帯電話装置１では、磁界アンテナ５０のアンテナパターンの１辺が最もメインアンテナ７０に接近する部分に帯域阻害素子８０を付加することにより、磁界アンテナ５０の高次共振点が低減されるので、磁界アンテナ５０の使用周波数帯（１３．５６ＭＨｚ）に影響を与えずに、メインアンテナ７０への使用周波数帯域（８００ＭＨｚ）における磁界アンテナ５０の高次共振点による影響を低減することができる。
【００５２】
また、図８には、磁界アンテナ５０のアンテナパターンの１辺が最もメインアンテナ７０に接近する部分に帯域阻害素子８０を付加した場合（本発明に係る携帯電話装置１）において、５００ＭＨｚ〜２．５ＧＨｚの周波数によりＶＳＷＲ（Ｖｏｌｔａｇｅ  Ｓｔａｎｄｉｎｇ  Ｗａｖｅ  Ｒａｔｉｏ）を測定したときの結果を示し、また、図９には、磁界アンテナ５０に帯域阻害素子８０を付加しない場合（従来の携帯電話装置）において、５００ＭＨｚ〜２．５ＧＨｚの周波数によりＶＳＷＲを測定したときの結果を示す。なお、測定においては、携帯電話装置１のメインアンテナ７０の給電点に測定装置（ネットワークアナライザ）を接続して行った。また、使用周波数帯の帯域幅が８４３ＭＨｚ〜９２５ＭＨｚ（図８及び図９中Ａ点〜Ｂ点）と、１．９２ＧＨｚ〜２．１８ＧＨｚ（図８及び図９中Ｃ点〜Ｄ点）の携帯電話装置を使用して測定を行った。
【００５３】
図８及び図９から分かるように、磁界アンテナ５０に帯域阻害素子８０を付加しなかった場合（図９）には、８４３ＭＨｚ〜９２５ＭＨｚ（図９中Ａ点〜Ｂ点）内に磁界アンテナ５０の高次共振点の影響が現れているが（図９中Ｘ）、磁界アンテナ５０に帯域阻害素子８０を付加した場合（図８）には、８４３ＭＨｚ〜９２５ＭＨｚ（図８中Ａ点〜Ｂ点）内に磁界アンテナ５０の高次共振点の影響が消失している。
【００５４】
したがって、本発明によれば、磁界アンテナ５０のアンテナパターンの１辺が最もメインアンテナ７０に接近する部分に帯域阻害素子８０を付加することにより、磁界アンテナ５０の有する高次共振点を低減（又は消滅）させることができるので、メインアンテナ７０の使用周波数帯への影響を防ぐことができ、メインアンテナ７０の利得劣化を回避することができる。また、本発明によれば、磁界アンテナ５０とメインアンテナ７０とを近接配置してもメインアンテナ７０の利得の劣化が低減されるため通信品位を維持しながらデザイン性を重視しつつ、筐体内のスペースを有効活用することができ、また、筐体自身の小型化を実現することができる。さらに本発明は、磁界アンテナ５０の有する高次共振点の低減手段として、磁界アンテナ５０の配線パターンとして磁界アンテナ５０に一体化される帯域阻害素子８０を用いていることから、当該低減手段として別の部材を筐体内に設ける必要がないので、筐体内のスペースをさらに有効活用することができると共に、筐体自身の小型化を実現することができる。
【００５５】
なお、上述した実施の形態では、メインアンテナ７０と、磁界アンテナ５０とが近接配置により干渉が生じ得る場合を想定したが、両アンテナの位置関係に係らず、磁界アンテナ５０の高次共振点による影響が他のアンテナの使用周波数帯に影響する場合であれば、本発明は有効である。
【００５６】
また、上述した実施の形態では、第１の使用周波数帯により外部機器と通信を行う構成要素としてＲＦＩＤを示したが、特にこれに限られず、メインアンテナ７０の使用周波数帯に干渉が生じ得るような構成要素であれば他のものであっても良い。
【００５７】
また、カード機能とリーダ／ライタ機能の２つの機能を携帯無線機に持たせるべく、受動型の磁界アンテナと能動型の磁界アンテナの２つのアンテナが筐体内に配置されるような構成が考えられるが、このように複数のアンテナがメインアンテナ７０と併せて筐体内に配設されるような構成であっても、帯域阻害素子８０がこれら複数のアンテナのいずれにも一体的に接続されることにより複数のアンテナのそれぞれの高次共振点における周波数成分を好適に低減することができるので、メインアンテナ７０の使用周波数帯（高周波数帯域）に複数のアンテナのそれぞれの高次共振点による影響を低減することができる。ここで、カード機能とは、リーダ／ライタ機能を有する外部装置側から受動型の磁界アンテナを検出し、データの送受信を行う機能をいい、リーダ／ライタ機能とは、能動型の磁界アンテナ側から自発的に外部装置を検出し、データの送受信を行う機能をいう。
【００５８】
図１０は、本構成の一例を示す図であり、本図では、受動型の磁界アンテナ５０ａと能動型の磁界アンテナ５０ｂとがメインアンテナ７０と併せて筐体内に配設され、そのいずれもが一つの帯域阻害素子８０（フェライトコア）に接続されている構成が示されている。また、図１１は、本構成の一例を示す図であり、本図では、受動型の磁界アンテナ５０ａの内側の領域に能動型の磁界アンテナ５０ｂがメインアンテナ７０と併せて筐体内に配設され、そのいずれもが一つの帯域阻害素子８０（フェライトコア）に接続されている構成が示されている。
【００５９】
このように受動型の磁界アンテナ５０ａと能動型の磁界アンテナ５０ｂとがメインアンテナ７０に近接して筐体内に配設されるような場合においては、受動型の磁界アンテナ５０ａと能動型の磁界アンテナ５０ｂのそれぞれ高次共振点が、メインアンテナ７０の使用周波数帯に干渉するおそれがあるが、一つの帯域阻害素子８０が受動型の磁界アンテナ５０ａの一部と能動型の磁界アンテナ５０ｂの一部のいずれにも接続されることにより、受動型の磁界アンテナ５０ａと能動型の磁界アンテナ５０ｂのそれぞれの高次共振点における周波数成分を好適に低減することができるので、メインアンテナ７０の使用周波数帯（高周波数帯域）に複数のアンテナのそれぞれの高次共振点による影響を低減することができる。
【００６０】
また、磁界アンテナ５０ａの一部と磁界アンテナ５０ｂの一部とに一体的に接続される帯域阻害素子８０により複数のアンテナのそれぞれの高次共振点における周波数成分をまとめて低減することができるため、複数のアンテナごとに高次共振点における周波数成分を低減するための手段を別途必要とせず、筐体内のスペースの効率化、部品点数の削減、筐体全体の小型化等も併せて図られることとなる。なお、複数のアンテナは２つの磁界アンテナに限らず、それ以上の数のその他のアンテナで構成されていても良い。
【図１】
2008120756.tif 000003
【図２】
2008120756.tif 000004
【図３】
2008120756.tif 000005
【図４】
2008120756.tif 000006
【図５】
2008120756.tif 000007
【図６】
2008120756.tif 000008
【図７】
2008120756.tif 000009
【図８】
2008120756.tif 000010
【図９】
2008120756.tif 000011
【図１０】
2008120756.tif 000012
【図１１】
2008120756.tif 000013
【国際調査報告】
2008120756.tif 000014
2008120756.tif 000015
2008120756.tif 000016